(57)【要約】【課題】  第一の所定数の紙幣を含み、帯封処理が施された紙幣束を重ね合わせて、結束テープを巻回し、帯封処理を施して、第二の所定数に等しい数の紙幣束を含む紙幣束を生成する紙幣処理機であって、所望のように管理可能な紙幣束を生成することができる紙幣処理機を提供することを目的とする。【解決手段】  それぞれが、第一の所定数の紙幣を含み、第一の結束テープが巻回されて、帯封処理が施された第二の所定数に等しい数の単位紙幣束を集積する紙幣束集積部２１と、紙幣束集積部によって集積された第二の所定数に等しい数の単位紙幣束の周囲に、ＩＣチップとアンテナを内蔵したインレットが形成された第二の結束テープＴを巻回して、帯封処理を施し、紙幣束を生成する帯封処理部２２と、結束テープのインレット中のＩＣチップにＲＦＩＤデータを書き込むＲＦＩＤライター２５とを備えたことを特徴とする紙幣処理機。【選択図】      図１
2007122121.tif 000002
【特許請求の範囲】
【請求項１】
それぞれが、第一の所定数の紙幣を含み、第一の結束テープが巻回されて、帯封処理が施された第二の所定数に等しい数の単位紙幣束を集積する紙幣束集積部と、前記紙幣束集積部によって集積された前記第二の所定数に等しい数の前記単位紙幣束の周囲に、ＩＣチップとアンテナを内蔵したインレットが形成された第二の結束テープを巻回して、帯封処理を施し、紙幣束を生成する帯封処理部と、前記結束テープの前記インレット中のＩＣチップにＲＦＩＤデータを書き込むＲＦＩＤライターとを備えたことを特徴とする紙幣処理機。
【請求項２】
前記第一の結束テープに、ＲＦＩＤデータが書き込まれたＩＣチップとアンテナを内蔵したインレットが形成され、さらに、前記第一の結束テープに形成されたインレット内のＩＣチップに書き込まれたＲＦＩＤデータを読み取る第一のＲＦＩＤリーダーを備えたことを特徴とする請求項１に記載の紙幣処理機。
【請求項３】
紙幣に、紙幣に関するＲＦＩＤデータが書き込まれたＩＣチップとアンテナを内蔵したインレットが一体的に形成され、さらに、紙幣に一体的に形成された前記インレット内の前記ＩＣチップに書き込まれた前記ＲＦＩＤデータを読み取る第二のＲＦＩＤリーダーを備えたことを特徴とする請求項２に記載の紙幣処理機。
【請求項４】
紙幣に一体的に形成された前記インレット内の前記ＩＣチップに書き込まれた前記紙幣に関するＲＦＩＤデータが、少なくとも、その紙幣を特定するＩＤデータと、その紙幣の金種を特定する金種データを含んでいることを特徴とする請求項３に記載の紙幣処理機。
【請求項５】
前記第一の結束テープに形成された前記インレット内の前記ＩＣチップに書き込まれた前記ＲＦＩＤデータが、少なくとも、前記単位紙幣束に含まれる紙幣に関するＲＦＩＤデータと、前記単位紙幣束に、前記第一の結束テープを巻回して、帯封処理を施した際の帯封処理に関するＲＦＩＤデータを含んでいることを特徴とする請求項４に記載の紙幣処理機。
【請求項６】
前記ＲＦＩＤライターが、少なくとも、前記第二の所定数に等しい数の前記単位紙幣束に、前記第二の結束テープを巻回して、帯封処理を施す際の帯封処理に関するＲＦＩＤデータと、前記紙幣束に含まれる紙幣に関するＲＦＩＤデータを、前記第二の結束テープの前記インレット内のＩＣチップに書き込むように構成されたことを特徴とする請求項３ないし５のいずれか１項に記載の紙幣処理機。
【請求項７】
前記ＲＦＩＤライターが、さらに、前記単位紙幣束に、前記第二の結束テープを巻回して、帯封処理を施した際の帯封処理に関するＲＦＩＤデータを、前記第二の結束テープの前記インレット内のＩＣチップに書き込むように構成されたことを特徴とする請求項６に記載の紙幣処理機。
【請求項８】
前記帯封処理部、前記ＲＦＩＤライターおよび前記ＲＦＩＤライターの近傍の前記第二の結束テープの搬送路が、前記ＲＦＩＤライターから発信される周波数の電波を遮蔽するケーシングによって覆われていることを特徴とする請求項１ないし７のいずれか１項に記載の紙幣処理機。
【請求項９】
さらに、前記単位紙幣束をセットする紙幣束入金口を備え、前記第一のＲＦＩＤリーダーが、前記紙幣束入金口と前記紙幣束集積部との間の紙幣束搬送路に配置されたことを特徴とする請求項２ないし８のいずれか１項に記載の紙幣処理機。
【請求項１０】
前記第一のＲＦＩＤリーダーと、前記第一のＲＦＩＤリーダーの近傍の紙幣束搬送路が、前記第一のＲＦＩＤリーダーから発信される周波数の電波を遮蔽するケーシングによって覆われていることを特徴とする請求項９に記載の紙幣処理機。
【請求項１１】
さらに、紙幣束を生成すべき紙幣の金種を指定する金種指定信号を入力可能な入力手段と、前記第一のＲＦＩＤリーダーによって読み取られたＲＦＩＤデータに基づいて、前記入力手段に入力された前記金種指定信号によって特定された金種の単位紙幣束のみを、選択的に、前記紙幣集積部に送る選別手段を備えたことを特徴とする請求項９または１０に記載の紙幣処理機。
【請求項１２】
さらに、前記単位紙幣束をセットする紙幣束入金口を備え、前記第二のＲＦＩＤリーダーが、前記紙幣束入金口と前記紙幣束集積部との間の紙幣束搬送路に配置されたことを特徴とする請求項３ないし８のいずれか１項に記載の紙幣処理機。
【請求項１３】
前記第二のＲＦＩＤリーダーと、前記第二のＲＦＩＤリーダーの近傍の紙幣束搬送路が、前記第二のＲＦＩＤリーダーから発信される周波数の電波を遮蔽するケーシングによって覆われていることを特徴とする請求項１２に記載の紙幣処理機。
【請求項１４】
さらに、紙幣束を生成すべき紙幣の金種を指定する金種指定信号を入力可能な入力手段と、前記第二のＲＦＩＤリーダーによって読み取られたＲＦＩＤデータに基づいて、前記入力手段に入力された前記金種指定信号によって特定された金種の単位紙幣束のみを、選択的に、前記紙幣集積部に送る選別手段を備えたことを特徴とする請求項１２または１３に記載の紙幣処理機。
【請求項１５】
前記ＲＦＩＤライターが、前記紙幣集積部によって集積された前記第二の所定数に等しい数の前記単位紙幣束の周囲に、前記第二の結束テープを巻回して、帯封処理を施し、紙幣束を生成するのに先立って、前記第二の結束テープの前記インレット中のＩＣチップにＲＦＩＤデータを書き込むように構成されたことを特徴とする請求項１ないし１４のいずれか１項に記載の紙幣処理機。
【請求項１６】
前記ＲＦＩＤライターが、前記紙幣集積部によって集積された前記第二の所定数に等しい数の前記単位紙幣束の周囲に、前記第二の結束テープを巻回して、帯封処理を施し、紙幣束を生成した後に、前記第二の結束テープの前記インレット中のＩＣチップにＲＦＩＤデータを書き込むように構成されたことを特徴とする請求項１ないし１４のいずれか１項に記載の紙幣処理機。
【請求項１７】
前記第二の結束テープに、前記インレットが所定の間隔で形成されていることを特徴とする請求項１ないし１６のいずれか１項に記載の紙幣処理機。
【請求項１８】
前記インレットが、前記第二の結束テープに一体的に形成されていることを特徴とする請求項１ないし１７のいずれか１項に記載の紙幣処理機。
【請求項１９】
前記インレットが、埋め込み、貼り付けおよび印刷よりなる群から選ばれる方法によって、前記第二の結束テープに一体的に形成されていることを特徴とする請求項１８に記載の紙幣処理機。
【請求項２０】
前記インレットが、前記インレットが一体的に形成されたラベルを、前記第二の結束テープに貼り付けることによって、前記第二の結束テープに形成されていることを特徴とする請求項１ないし１７のいずれか１項に記載の紙幣処理機。
【請求項２１】
前記第一の結束テープに、前記インレットが所定の間隔で形成されていることを特徴とする請求項２ないし２０のいずれか１項に記載の紙幣処理機。
【請求項２２】
前記インレットが、前記第一の結束テープに一体的に形成されていることを特徴とする請求項１ないし２１のいずれか１項に記載の紙幣処理機。
【請求項２３】
前記インレットが、埋め込み、貼り付けおよび印刷よりなる群から選ばれる方法によって、前記第一の結束テープに一体的に形成されていることを特徴とする請求項２２に記載の紙幣処理機。
【請求項２４】
前記インレットが、前記インレットが一体的に形成されたラベルを、前記第一の結束テープに貼り付けることによって、前記第一の結束テープに形成されていることを特徴とする請求項１ないし２１のいずれか１項に記載の紙幣処理機。
【発明の詳細な説明】
【技術分野】
【０００１】
本発明は、紙幣処理機に関するものであり、さらに詳細には、第一の所定数の紙幣を含み、帯封処理が施された紙幣束を重ね合わせて、結束テープを巻回し、帯封処理を施して、第二の所定数に等しい数の紙幣束を含む紙幣束を生成する紙幣処理機であって、所望のように管理可能な紙幣束を生成することができる紙幣処理機に関するものである。
【背景技術】
【０００２】
オペレータによって、紙幣束入金口に投入された所定枚数の紙幣を含み、帯封処理が施された紙幣束（以下、「単位紙幣束」という。）を、１つずつ、内部に取り込んで、重ねあわせ、結束テープを巻回して、帯封処理を施し、所定の数の単位紙幣束を含む紙幣束を生成するように構成された紙幣処理機が知られている。
【発明の開示】
【発明が解決しようとする課題】
【０００３】
かかる従来の紙幣処理機により生成された所定の数の単位紙幣束を含む紙幣束は、単に、所定数の単位紙幣束の略中央部に、結束テープを巻回して、帯封処理が施されただけのもので、帯封処理が施された紙幣束からは、その紙幣束が、帯封処理を施す権限を有する機関によって真正に生成されたものか否かおよび紙幣束に含まれる個々の単位紙幣束が、帯封処理を施す権限を有する機関によって、真正に生成されたものか否かを判別することが不可能であるだけでなく、一部の単位紙幣束が、帯封処理を施す権限を有しない者によって生成された単位紙幣束によって差し替えられていても、その事実を認識することが不可能であり、所定の数の単位紙幣束を含む紙幣束を所望のように管理することができないという問題があった。
【０００４】
一方、近年、ＲＦＩＤ（Radio Frequency-Identification)システムを用いて、読み取り可能なデータ（以下、「ＲＦＩＤデータ」という。）を、紙幣に書き込んで、紙幣の偽造を防止することが提案されている。ＲＦＩＤシステムは、アンテナとコントローラを備えたＲＦＩＤライター、アンテナとコントローラを備えたＲＦＩＤリーダーならびにＩＣチップとアンテナを内蔵したインレットと呼ばれる薄いフイルムとによって構成されており、ＲＦＩＤライターから所定の周波数の電波、たとえば、マイクロ波帯の電波を発信し、インレットのアンテナに受信させて、ＩＣチップに、ＲＦＩＤデータを書き込み、ＲＦＩＤリーダーから所定の周波数、たとえば、マイクロ波帯の電波を発信し、インレットのアンテナに受信させて、ＩＣチップに書き込まれたＲＦＩＤデータを読み取るものである。
【０００５】
しかしながら、ＲＦＩＤシステムを利用して、紙幣処理機や紙幣束生成機をどのように構成するかについての具体的な提案はほとんどなされていなかった。
【０００６】
したがって、本発明は、第一の所定数の紙幣を含み、帯封処理が施された紙幣束を重ね合わせて、結束テープを巻回し、帯封処理を施して、第二の所定数に等しい数の紙幣束を含む紙幣束を生成する紙幣処理機であって、所望のように管理可能な紙幣束を生成することができる紙幣処理機を提供することを目的とするものである。
【課題を解決するための手段】
【０００７】
本発明のかかる目的は、それぞれが、第一の所定数の紙幣を含み、第一の結束テープが巻回されて、帯封処理が施された第二の所定数に等しい数の単位紙幣束を集積する紙幣束集積部と、前記紙幣束集積部によって集積された前記第二の所定数に等しい数の前記単位紙幣束の周囲に、ＩＣチップとアンテナを内蔵したインレットが形成された第二の結束テープを巻回して、帯封処理を施し、紙幣束を生成する帯封処理部と、前記結束テープの前記インレット中のＩＣチップにＲＦＩＤデータを書き込むＲＦＩＤライターとを備えたことを特徴とする紙幣処理機によって達成される。
【０００８】
本発明によれば、紙幣処理機は、それぞれが、第一の所定数の紙幣を含み、第一の結束テープが巻回されて、帯封処理が施された第二の所定数に等しい数の単位紙幣束を集積する紙幣束集積部と、紙幣束集積部によって集積された第二の所定数に等しい数の単位紙幣束の周囲に、ＩＣチップとアンテナを内蔵したインレットが形成された第二の結束テープを巻回して、帯封処理を施し、紙幣束を生成する帯封処理部と、結束テープのインレット中のＩＣチップにＲＦＩＤデータを書き込むＲＦＩＤライターとを備えているから、ＲＦＩＤライターによって、第二の結束テープのインレット内のＩＣチップに、帯封処理を施した紙幣の枚数、帯封処理を施した日時、帯封処理を施した金融機関名、帯封処理の実行者などの帯封処理に関するＲＦＩＤデータを書き込むことができ、したがって、所望のように管理可能な紙幣束を生成することが可能になる。
【０００９】
本発明の好ましい実施態様においては、前記第一の結束テープに、ＲＦＩＤデータが書き込まれたＩＣチップとアンテナを内蔵したインレットが形成され、紙幣処理機が、さらに、前記第一の結束テープに形成されたインレット内のＩＣチップに書き込まれたＲＦＩＤデータを読み取る第一のＲＦＩＤリーダーを備えている。
【００１０】
本発明の好ましい実施態様によれば、第一の結束テープに、ＲＦＩＤデータが書き込まれたＩＣチップとアンテナを内蔵したインレットが形成され、紙幣処理機が、第一の結束テープに形成されたインレット内のＩＣチップに書き込まれたＲＦＩＤデータを読み取る第一のＲＦＩＤリーダーを備えているから、ＲＦＩＤライターによって、第二の結束テープのインレット内のＩＣチップに、さらに、単位紙幣束の第一の結束テープに形成されたインレット内のＩＣチップに書き込まれたＲＦＩＤデータを書き込むことができ、したがって、所望のように管理可能な紙幣束を生成することが可能になる。
【００１１】
本発明のさらに好ましい実施態様においては、紙幣に、紙幣に関するＲＦＩＤデータが書き込まれたＩＣチップとアンテナを内蔵したインレットが一体的に形成され、さらに、紙幣処理機が、紙幣に一体的に形成された前記インレット内の前記ＩＣチップに書き込まれた前記ＲＦＩＤデータを読み取る第二のＲＦＩＤリーダーを備えている。
【００１２】
本発明のさらに好ましい実施態様によれば、紙幣に、紙幣に関するＲＦＩＤデータが書き込まれたＩＣチップとアンテナを内蔵したインレットが一体的に形成され、さらに、紙幣処理機が、紙幣に一体的に形成されたインレット内のＩＣチップに書き込まれたＲＦＩＤデータを読み取る第二のＲＦＩＤリーダーを備えているから、ＲＦＩＤライターによって、第二の結束テープのインレット内のＩＣチップに、さらに、第二のＲＦＩＤリーダーによって読み取られた紙幣束に含まれる紙幣のＩＤデータ、金種データなどの紙幣に関するＲＦＩＤデータを書き込むことができ、したがって、所望のように管理可能な紙幣束を生成することが可能になる。
【００１３】
本発明のさらに好ましい実施態様においては、紙幣に一体的に形成された前記インレット内の前記ＩＣチップに書き込まれた前記紙幣に関するＲＦＩＤデータが、少なくとも、その紙幣を特定するＩＤデータと、その紙幣の金種を特定する金種データを含んでいる。
【００１４】
本発明のさらに好ましい実施態様においては、前記第一の結束テープに形成された前記インレット内の前記ＩＣチップに書き込まれた前記ＲＦＩＤデータが、少なくとも、前記単位紙幣束に含まれる紙幣に関するＲＦＩＤデータと、前記単位紙幣束に、前記第一の結束テープを巻回して、帯封処理を施した際の帯封処理に関するＲＦＩＤデータを含んでいる。
【００１５】
本発明のさらに好ましい実施態様においては、前記ＲＦＩＤライターが、少なくとも、前記第二の所定数に等しい数の前記単位紙幣束に、前記第二の結束テープを巻回して、帯封処理を施す際の帯封処理に関するＲＦＩＤデータと、前記紙幣束に含まれる紙幣に関するＲＦＩＤデータを、前記第二の結束テープの前記インレット内のＩＣチップに書き込むように構成されている。
【００１６】
本発明のさらに好ましい実施態様においては、前記ＲＦＩＤライターが、さらに、前記単位紙幣束に、前記第二の結束テープを巻回して、帯封処理を施した際の帯封処理に関するＲＦＩＤデータを、前記第二の結束テープの前記インレット内のＩＣチップに書き込むように構成されている。
【００１７】
本発明のさらに好ましい実施態様においては、前記帯封処理部、前記ＲＦＩＤライターおよび前記ＲＦＩＤライターの近傍の前記第二の結束テープの搬送路が、前記ＲＦＩＤライターから発信される周波数の電波を遮蔽するケーシングによって覆われている。
【００１８】
本発明のさらに好ましい実施態様においては、紙幣処理機が、さらに、前記単位紙幣束をセットする紙幣束入金口を備え、前記第一のＲＦＩＤリーダーが、前記紙幣束入金口と前記紙幣束集積部との間の紙幣束搬送路に配置されている。
【００１９】
本発明のさらに好ましい実施態様においては、前記第一のＲＦＩＤリーダーと、前記第一のＲＦＩＤリーダーの近傍の紙幣束搬送路が、前記第一のＲＦＩＤリーダーから発信される周波数の電波を遮蔽するケーシングによって覆われている。
【００２０】
本発明のさらに好ましい実施態様においては、紙幣処理機が、さらに、紙幣束を生成すべき紙幣の金種を指定する金種指定信号を入力可能な入力手段と、前記第一のＲＦＩＤリーダーによって読み取られたＲＦＩＤデータに基づいて、前記入力手段に入力された前記金種指定信号によって特定された金種の単位紙幣束のみを、選択的に、前記紙幣集積部に送る選別手段を備えている。
【００２１】
本発明の別の好ましい実施態様においては、紙幣処理機が、さらに、前記単位紙幣束をセットする紙幣束入金口を備え、前記第二のＲＦＩＤリーダーが、前記紙幣束入金口と前記紙幣束集積部との間の紙幣束搬送路に配置されている。
【００２２】
本発明のさらに好ましい実施態様においては、前記第二のＲＦＩＤリーダーと、前記第二のＲＦＩＤリーダーの近傍の紙幣束搬送路が、前記第二のＲＦＩＤリーダーから発信される周波数の電波を遮蔽するケーシングによって覆われている。
【００２３】
本発明のさらに好ましい実施態様においては、紙幣処理機が、さらに、紙幣束を生成すべき紙幣の金種を指定する金種指定信号を入力可能な入力手段と、前記第二のＲＦＩＤリーダーによって読み取られたＲＦＩＤデータに基づいて、前記入力手段に入力された前記金種指定信号によって特定された金種の単位紙幣束のみを、選択的に、前記紙幣集積部に送る選別手段を備えている。
【００２４】
本発明のさらに好ましい実施態様においては、前記ＲＦＩＤライターが、前記紙幣集積部によって集積された前記第二の所定数に等しい数の前記単位紙幣束の周囲に、前記第二の結束テープを巻回して、帯封処理を施し、紙幣束を生成するのに先立って、前記第二の結束テープの前記インレット中のＩＣチップにＲＦＩＤデータを書き込むように構成されている。
【００２５】
本発明の別の好ましい実施態様においては、前記ＲＦＩＤライターが、前記紙幣集積部によって集積された前記第二の所定数に等しい数の前記単位紙幣束の周囲に、前記第二の結束テープを巻回して、帯封処理を施し、紙幣束を生成した後に、前記第二の結束テープの前記インレット中のＩＣチップにＲＦＩＤデータを書き込むように構成されている。
【００２６】
本発明のさらに好ましい実施態様においては、前記第二の結束テープに、前記インレットが所定の間隔で形成されている。
【００２７】
本発明のさらに好ましい実施態様においては、前記インレットが、前記第二の結束テープに一体的に形成されている。
【００２８】
本発明のさらに好ましい実施態様においては、前記インレットが、埋め込み、貼り付けおよび印刷よりなる群から選ばれる方法によって、前記第二の結束テープに一体的に形成されている。
【００２９】
本発明の別の好ましい実施態様においては、前記インレットが、前記インレットが一体的に形成されたラベルを、前記第二の結束テープに貼り付けることによって、前記第二の結束テープに形成されている。
【００３０】
本発明のさらに好ましい実施態様においては、前記第一の結束テープに、前記インレットが所定の間隔で形成されている。
【００３１】
本発明のさらに好ましい実施態様においては、前記インレットが、前記第一の結束テープに一体的に形成されている。
【００３２】
本発明のさらに好ましい実施態様においては、前記インレットが、埋め込み、貼り付けおよび印刷よりなる群から選ばれる方法によって、前記第一の結束テープに一体的に形成されている。
【００３３】
本発明の別の好ましい実施態様においては、前記インレットが、前記インレットが一体的に形成されたラベルを、前記第一の結束テープに貼り付けることによって、前記第一の結束テープに形成されている。
【発明の効果】
【００３４】
本発明によれば、第一の所定数の紙幣を含み、帯封処理が施された紙幣束を重ね合わせて、結束テープを巻回し、帯封処理を施して、第二の所定数に等しい数の紙幣束を含む紙幣束を生成する紙幣処理機であって、所望のように管理可能な紙幣束を生成することができる紙幣処理機を提供することが可能になる。
【発明を実施するための最良の形態】
【００３５】
以下、添付図面に基づいて、本発明の好ましい実施態様につき、詳細に説明を加える。
【００３６】
図１は、本発明の好ましい実施態様にかかる紙幣処理機の略縦断面図である。
【００３７】
本実施態様にかかる紙幣処理機は、第一の所定数の紙幣、たとえば、１００枚の紙幣を含み、帯封処理が施された単位紙幣束（小束）を、第二の所定数だけ重ね合わせ、たとえば、１０束の単位紙幣束を重ね合わせ、重ね合わせた紙幣束に結束テープを巻回して、帯封処理を施し、第二の所定数の単位紙幣束を含む紙幣束（大束）を生成するために、銀行などの金融機関内で使用される紙幣帯封機として構成されており、紙幣束を構成する紙幣には、紙幣の発行権限を有する機関によって、インレットが一体的に形成され、インレット中のＩＣチップに、紙幣のＩＤデータ、紙幣の金種データなどのＲＦＩＤデータが、特定のフォーマットで、記録されている。ここに、紙幣に一体的に形成されたインレット中のＩＣチップは、紙幣の発行権限を有する機関によって、ＩＣチップに書き込まれた紙幣のＩＤデータ、紙幣の金種データなどのＲＦＩＤデータが、紙幣の流通過程において、改ざんされることを防止するため、読み取り専用に構成されている。
【００３８】
また、単位紙幣束には、ＩＣチップとアンテナを含むインレットが一体的に形成された結束テープが巻回されて、帯封が付されており、インレット中のＩＣチップには、単位紙幣束に含まれる紙幣のＩＤデータ、金種データなどの単位紙幣束を構成する紙幣に関するＲＦＩＤデータおよび単位紙幣束に含まれる紙幣の枚数、単位紙幣束に帯封処理を施した日時、単位紙幣束に帯封処理を施した金融機関名、単位紙幣束の帯封処理の実行者などの単位紙幣束の帯封処理に関するＲＦＩＤデータが書き込まれている。
【００３９】
インレットを結束テープに一体的に形成する方法としては、結束テープ用の紙を抄く際に、結束テープ用の紙にインレットを埋め込む方法、結束テープにインレットを印刷する方法などが挙げられるが、とくに限定されるものではない。
【００４０】
図１に示されるように、本実施態様にかかる紙幣処理機は、ハウジング１を備え、ハウジング１の上部には、第一の所定数の紙幣、たとえば、１００枚の紙幣を含む単位紙幣束がセットされる紙幣束入金口２と、第二の所定数の単位紙幣束、たとえば、１０束の単位紙幣束を含み、帯封処理が施された紙幣束を出金する紙幣束出金口３と、紙幣束入金口２にセットされた単位紙幣束のうち、受け入れ不能と判別された単位紙幣束を返却する第一の紙幣束返却口４と、紙幣束入金口２にセットされた単位紙幣束のうち、受け入れ可能ではあるが、単位紙幣束に含まれている紙幣の金種が、オペレータが指定した紙幣の金種とは異なると判別された単位紙幣束を返却する第二の紙幣束返却口５が設けられている。
【００４１】
紙幣束入金口２は、１束ずつ、単位紙幣束をセット可能に構成されており、図１に示されるように、紙幣束入金口２にセットされた単位紙幣束は、繰り出しローラ（図示せず）によって、紙幣束入金口２から、紙幣束搬送路９内に繰り出されるように構成されている。
【００４２】
図１に示されるように、紙幣束搬送路９は、データ読み取り手段１０に接続されている。
【００４３】
データ読み取り手段１０は、単位紙幣束に巻き付けられた結束テープに一体的に形成されているインレット内のＩＣチップに書き込まれたＲＦＩＤデータを読み取る第一のＲＦＩＤリーダー（図示せず）と、単位紙幣束に含まれた紙幣に一体的に形成されているインレット内のＩＣチップに書き込まれたＲＦＩＤデータを読み取る第二のＲＦＩＤリーダー（図示せず）を備え、第一のＲＦＩＤリーダーおよび第二のＲＦＩＤリーダーから発信される周波数の電波を遮蔽する材料によって形成されたケーシング１０ｃによって覆われている。
【００４４】
図１に示されるように、データ読み取り手段１０の下流側には、紙幣束搬送路１１が接続されており、紙幣束搬送路１１から、第一の紙幣束返却口４に接続された分岐搬送路１２が分岐し、分岐搬送路１２の分岐部には、単位紙幣束を、紙幣束搬送路１１および分岐搬送路１２のいずれかに選択的に導くゲート部材１３が設けられている。
【００４５】
データ読み取り手段１０の第一のＲＦＩＤリーダーおよび第二のＲＦＩＤリーダーによって読み取られたＲＦＩＤデータに基づき、受け入れ不能と判別された単位紙幣束は、紙幣束搬送路１１、ゲート部材１３および分岐搬送路１２を介して、第一の紙幣束返却口４に送られて、オペレータに返却される。
【００４６】
さらに、分岐搬送路１２の分岐部の下流側の紙幣束搬送路１１から、第二の紙幣束返却口５に接続された分岐搬送路１４が分岐し、分岐搬送路１４の分岐部には、紙幣を、紙幣束搬送路１１および分岐搬送路１４のいずれかに選択的に導くゲート部材１５が設けられている。
【００４７】
データ読み取り手段１０の第一のＲＦＩＤリーダーおよび第二のＲＦＩＤリーダーによって読み取られたＲＦＩＤデータに基づき、受け入れ可能ではあるが、単位紙幣束に含まれている紙幣の金種が、オペレータが指定した紙幣の金種とは異なると判別された単位紙幣束は、紙幣束搬送路１１、ゲート部材１５および分岐搬送路１４を介して、第二の紙幣束返却口５に送られて、オペレータに返却される。
【００４８】
図１に示されるように、分岐搬送路１４の分岐部の下流側の紙幣束搬送路１１には、紙幣帯封ユニット２０が接続され、紙幣帯封ユニット２０の直上流側の紙幣束搬送路１１には、紙幣束センサ１８が設けられている。
【００４９】
紙幣帯封ユニット２０は、第一の所定数に等しい枚数の紙幣、たとえば、１００枚の紙幣に、ＩＣチップとアンテナを含むインレットが一体的に形成された結束テープが巻き付けられて、帯封が付された単位紙幣束を、第二の所定数に等しい数だけ、たとえば、１０束だけ、集積させる紙幣束集積部２１と、紙幣束集積部２１によって集積された第二の所定数に等しい数の単位紙幣束を挟持する一対の挟持部材２２ａ、２２ｂと、一対の挟持部材２２ａ、２２ｂによって挟持された第二の所定数に等しい数の単位紙幣束の略中央部に、結束テープＴを巻き付けるテープ巻き付け手段（図示せず）を備え、第二の所定数に等しい数の単位紙幣束に帯封処理を施して、紙幣束を生成する帯封処理部２２と、帯封処理部２２に、ＩＣチップとアンテナを含むインレットが一体的に形成された結束テープＴを供給する結束テープ供給手段２３と、第二の所定数に等しい数の単位紙幣束に巻き付けられるべき結束テープＴに一体的に形成されたインレット内のＩＣチップに、各単位紙幣束に巻回された結束テープに一体的に形成されたインレット中のＩＣチップに書き込まれた各単位紙幣束に含まれる紙幣のＩＤデータ、金種データなどの紙幣束を構成する紙幣に関するＲＦＩＤデータおよび各単位紙幣束に含まれる紙幣の枚数、各単位紙幣束に帯封処理を施した日時、各単位紙幣束に帯封処理を施した金融機関名、各単位紙幣束の帯封処理の実行者などの各単位紙幣束の帯封処理に関するＲＦＩＤデータ、ならびに、帯封処理を施した単位紙幣束を特定するデータ、帯封処理を施した単位紙幣束の数、帯封処理を施した日時、帯封処理を施した金融機関名、帯封処理の実行者などの帯封処理に関するＲＦＩＤデータを書き込むＲＦＩＤライター２５を備えている。
【００５０】
インレットを結束テープＴに一体的に形成する方法としては、結束テープＴ用の紙を抄く際に、結束テープＴ用の紙にインレットを埋め込む方法、結束テープＴにインレットを印刷する方法などが挙げられるが、とくに限定されるものではない。
【００５１】
紙幣帯封ユニット２０の帯封処理部２２、ＲＦＩＤライター２５およびＲＦＩＤライター２５の近傍の結束テープＴの搬送路は、結束テープＴに一体的に形成されたインレット内のＩＣチップにＲＦＩＤデータを書き込む際に、ＲＦＩＤライター２５から発信される周波数の電波を遮蔽する材料によって形成されたケーシング２６によって覆われている。
【００５２】
図１に示されるように、紙幣帯封ユニット２０には、紙幣束搬送路３０が接続され、紙幣束搬送路３０には、紙幣束センサ３５が設けられている。
【００５３】
図１に示されるように、紙幣束搬送路３０は、紙幣束出金口３に接続されており、紙幣帯封ユニット２０によって、第一の所定数に等しい枚数の紙幣、たとえば、１００枚の紙幣に帯封が付された単位紙幣束を、第二の所定数に等しい数、たとえば、１０束だけ、束ねて、帯封を付して生成された紙幣束は、紙幣束出金口３から出金されるように構成されている。
【００５４】
図２は、図１に示された紙幣処理機の制御系、検出系、駆動系、入力系および表示系を示すブロックダイアグラムである。
【００５５】
図２に示されるように、本実施態様にかかる紙幣処理機の制御系は、紙幣処理機の動作を制御するＣＰＵ５０と、紙幣入出金機の制御プログラムなどが格納されたＲＯＭ５１と、各種データを記憶するＲＡＭ５２と、時計５３を備えている。
【００５６】
ここに、ＲＡＭ５２には、紙幣処理機が設置されている金融機関名、支店名、紙幣処理機のＩＤデータなどの紙幣処理機に関するデータが記憶されている。
【００５７】
また、図２に示されるように、ＣＰＵ５０は、紙幣束に帯封処理を施す権限を有する金融機関によって、共同管理されている中央管理サーバ５５に接続されており、中央管理サーバ５５には、各金融機関が、所定枚数の紙幣に、結束テープを巻回して、帯封をし、紙幣束を生成する際に、結束テープに一体的に形成されたインレット内のＩＣチップに書き込んだ帯封処理に関するデータが記憶されている。
【００５８】
図２に示されるように、本実施態様にかかる紙幣処理機の検出系は、データ読み取り手段１０と、紙幣帯封ユニット２０の直上流側の紙幣束搬送路１１に設けられた紙幣束センサ１８と、紙幣束搬送路３０に設けられた紙幣束センサ３５を備えている。
【００５９】
図２に示されるように、データ読み取り手段１０は、単位紙幣束に巻き付けられた結束テープに一体的に形成されているインレット内のＩＣチップに書き込まれたＲＦＩＤデータを読み取る第一のＲＦＩＤリーダー１０ａと、単位紙幣束に含まれた紙幣に一体的に形成されているインレット内のＩＣチップに書き込まれたＲＦＩＤデータを読み取る第二のＲＦＩＤリーダー１０ｂを備えている。
【００６０】
紙幣帯封ユニット２０の直上流側の紙幣束搬送路１１に設けられた紙幣束センサ１８および紙幣束搬送路３０に設けられた紙幣束センサ３５は、紙幣束の通過を検出するものであり、紙幣束センサ１８は、たとえば、紙幣帯封ユニット２０の直上流側の紙幣束搬送路１１に向けて、光を発する発光素子と、発光素子から発せられた光を、紙幣束搬送路１１を介して、受光する受光素子とによって構成することができ、同様に、紙幣束センサ３５も、紙幣束搬送路３０に向けて、光を発する発光素子と、発光素子から発せられた光を、紙幣束搬送路３０を介して、受光する受光素子とによって構成することができる。
【００６１】
図２に示されるように、本実施態様にかかる紙幣処理機の駆動系は、繰り出しローラ（図示せず）を駆動する繰り出しローラ駆動手段６０と、紙幣束搬送路９、１１ならびに分岐搬送路１２、１４に設けられた搬送ローラ（図示せず）を駆動する搬送ローラ駆動手段６１と、紙幣束搬送路３０に設けられた搬送ローラ（図示せず）を駆動する搬送ローラ駆動手段６２と、ゲート部材１３を駆動するソレノイド６３と、ゲート部材１５を駆動するソレノイド６４と、紙幣帯封ユニット２０の紙幣束集積部２１内に、単位紙幣束を集積する紙幣束集積機構７０と、紙幣帯封ユニット２０の紙幣束集積部２１内で集積された第二の所定数に等しい数の単位紙幣束を、紙幣帯封ユニット２０の帯封処理部２２に向けて送り出す紙幣束送り出し手段７１と、紙幣帯封ユニット２０の帯封処理部２２の一対の挟持部材２２ａ、２２ｂを相対的に移動させるモータ７２と、紙幣帯封ユニット２０の結束テープ供給手段２３を駆動するモータ７３と、紙幣帯封ユニット２０の帯封処理部２２のテープ巻き付け手段（図示せず）を駆動する巻き付けモータ７４と、紙幣帯封ユニット２０のＲＦＩＤライター２５を駆動するＲＦＩＤライター駆動手段７５と、第二の所定数に等しい数の単位紙幣束を含み、結束テープＴが巻き付けられて、帯封処理が施された紙幣束を、紙幣束搬送路３０に繰り出す紙幣束繰り出し機構７６を備えている。
【００６２】
図２に示されるように、本実施態様にかかる紙幣処理機の入力系は、オペレータによって操作され、種々の指示信号が入力されるキーボード８０を備えており、紙幣処理機の表示系は、紙幣の計数結果などを表示するディスプレイ８５を備えている。
【００６３】
以上のように構成された本実施態様にかかる紙幣処理機は、以下のようにして、紙幣束入金口２にセットされた単位紙幣束のうち、オペレータによって指定された金種の紙幣を含む単位紙幣束を選別して、第二の所定数だけ、たとえば、１０束だけ、集積し、集積された第二の所定数の単位紙幣束の略中央部に、結束テープＴを巻回して、集積紙幣に帯封処理を施し、第二の所定数の単位紙幣束を含む紙幣束を生成する。
【００６４】
まず、オペレータによって、単位紙幣束が、紙幣束入金口２内にセットされる。
【００６５】
次いで、オペレータによって、紙幣束の生成を指示する紙幣束生成信号とともに、生成すべき紙幣束に含まれる単位紙幣束の金種および紙幣束に含まれるべき単位紙幣束の数、すなわち、第二の所定数を特定する紙幣束データならびに金融機関名、支店名、紙幣処理機のＩＤデータならびにオペレータの名前などの帯封処理に関するデータがキーボード８０に入力される。
【００６６】
オペレータによって入力された紙幣束生成信号は、紙幣束データおよび帯封処理に関するデータとともに、ＣＰＵ５０に出力され、オペレータによって入力された紙幣束生成信号、紙幣束データおよび帯封処理に関するデータを受けると、ＣＰＵ５０は、オペレータによって入力された紙幣束データおよび帯封処理に関するデータを、ＲＡＭ５２の生成すべき紙幣束に関するデータを格納するメモリ領域に書き込むとともに、繰り出しローラ駆動手段６０、搬送ローラ駆動手段６１に駆動信号を出力して、繰り出しローラ（図示せず）ならびに紙幣束搬送路９、紙幣束搬送路１１、分岐搬送路１２および分岐搬送路１４内に設けられた搬送ローラ（図示せず）を駆動する。
【００６７】
その結果、紙幣束入金口２にセットされた単位紙幣束は、繰り出しローラによって、紙幣束搬送路９内に繰り出され、データ読み取り手段１０に送られる。
【００６８】
単位紙幣束が、データ読み取り手段１０に送られると、データ読み取り手段１０に設けられた第一のＲＦＩＤリーダー１０ａによって、単位紙幣束に巻き付けられた結束テープに一体的に形成されているインレット内のＩＣチップに書き込まれた単位紙幣束に含まれる紙幣のＩＤデータ、金種データなどの単位紙幣束を構成する紙幣に関するＲＦＩＤデータならびに帯封処理を施した紙幣の枚数、帯封処理を施した日時、帯封処理を施した金融機関名、帯封処理の実行者などの帯封処理に関するＲＦＩＤデータが読み取られるとともに、第二のＲＦＩＤリーダー１０ｂによって、単位紙幣束に含まれた紙幣に一体的に形成されているインレット内のＩＣチップに書き込まれた紙幣のＩＤデータ、金種データなどの各紙幣のＲＦＩＤデータが読み取られ、第一のＲＦＩＤリーダー１０ａによって読み取られた紙幣に関するＲＦＩＤデータおよび帯封処理に関するＲＦＩＤデータならびに第二のＲＦＩＤリーダー１０ｂによって読み取られた各紙幣のＲＦＩＤデータは、データ読み取り手段１０からＣＰＵ５０に出力される。
【００６９】
ＣＰＵ５０は、データ読み取り手段１０から、紙幣に関するＲＦＩＤデータおよび帯封処理に関するＲＦＩＤデータならびに各紙幣のＲＦＩＤデータを受けると、紙幣に関するＲＦＩＤデータおよび帯封処理に関するＲＦＩＤデータならびに各紙幣のＲＦＩＤデータを、ＲＡＭ５２の単位紙幣束を管理するためのデータを格納するメモリ領域に書き込むとともに、オペレータに、次の単位紙幣束を紙幣束入金口２にセットすべき旨を促すメッセージを、ディスプレイ８５に表示する。
【００７０】
次いで、ＣＰＵ５０は、中央管理サーバ５５にアクセスして、データ読み取り手段１０から入力された帯封処理に関するデータが、中央管理サーバ５５に格納されているか否かを判別する。
【００７１】
その結果、データ読み取り手段１０から入力された帯封処理に関するデータが、中央管理サーバ５５に格納されていないと判別したときは、その単位紙幣束が、単位紙幣束を生成する権限がない者によって生成されたおそれが高いから、ＣＰＵ５０は、ＲＡＭ５２の生成すべき紙幣束に関するデータを格納するメモリ領域に、帯封処理を施すべきでない単位紙幣束が検出された旨を書き込み、ディスプレイ８５に、帯封処理を施すべきでない単位紙幣束が検出された旨を表示するとともに、ゲート部材１３を駆動するソレノイド６３に駆動信号を出力して、ゲート部材１３を、紙幣束搬送路１１と分岐搬送路１２とを連通させる位置に移動させ、その単位紙幣束を、紙幣束搬送路１１、ゲート部材１３および分岐搬送路１２を介して、第一の紙幣束返却口４に送って、オペレータに返却する。
【００７２】
これに対して、データ読み取り手段１０から入力された帯封処理に関するデータが、中央管理サーバ５５に格納されていると判別したときは、ＣＰＵ５０は、さらに、データ読み取り手段１０から入力された各紙幣のＲＦＩＤデータに基づいて、検出された単位紙幣束に含まれているすべての紙幣が、現に流通している真正な紙幣か否かを判別する。
【００７３】
その結果、検出された単位紙幣束に、偽造紙幣、外国紙幣などが含まれ、単位紙幣束に含まれている紙幣がすべて、現に流通している真正な紙幣ではないと判別したときは、その単位紙幣束を構成している紙幣の一部が、偽造紙幣、外国紙幣などに差し替えられているおそれが高いから、ＣＰＵ５０は、ＲＡＭ５２の生成すべき紙幣束に関するデータを格納するメモリ領域に、帯封処理を施すべきでない単位紙幣束が検出された旨を書き込み、ディスプレイ８５に、帯封処理を施すべきでない単位紙幣束が検出された旨を表示するとともに、ゲート部材１３を駆動するソレノイド６３に駆動信号を出力して、ゲート部材１３を、紙幣束搬送路１１と分岐搬送路１２とを連通させる位置に移動させ、その単位紙幣束を、紙幣束搬送路１１、ゲート部材１３および分岐搬送路１２を介して、第一の紙幣束返却口４に送って、オペレータに返却する。
【００７４】
一方、各紙幣のＲＦＩＤデータに基づいて、検出された単位紙幣束に含まれているすべての紙幣が、現に流通している真正な紙幣であると判別したときは、ＣＰＵ５０は、さらに、データ読み取り手段１０から入力された単位紙幣束を構成している各紙幣のＲＦＩＤデータと結束テープに一体的に形成されたインレット中のＩＣチップに書き込まれた紙幣に関するＲＦＩＤデータとが一致しているか否かを判別する。
【００７５】
その結果、単位紙幣束を構成している各紙幣のＲＦＩＤデータと結束テープに一体的に形成されたインレット中のＩＣチップに書き込まれた紙幣に関するＲＦＩＤデータとが一致していないと判別したときは、その単位紙幣束から、紙幣の一部が抜き取られ、あるいは、その単位紙幣束を構成している紙幣の一部が他の紙幣に差し替えられているおそれが高く、その単位紙幣束を用いて、紙幣束を生成すべきではないから、ＣＰＵ５０は、ＲＡＭ５２の生成すべき紙幣束に関するデータを格納するメモリ領域に、帯封処理を施すべきでない単位紙幣束が検出された旨を書き込み、ディスプレイ８５に、帯封処理を施すべきでない単位紙幣束が検出された旨を表示するとともに、ゲート部材１３を駆動するソレノイド６３に駆動信号を出力して、ゲート部材１３を、紙幣束搬送路１１と分岐搬送路１２とを連通させる位置に移動させ、その単位紙幣束を、紙幣束搬送路１１、ゲート部材１３および分岐搬送路１２を介して、第一の紙幣束返却口４に送って、オペレータに返却する。
【００７６】
これに対して、単位紙幣束を構成している各紙幣のＲＦＩＤデータと結束テープに一体的に形成されたインレット中のＩＣチップに書き込まれた紙幣に関するＲＦＩＤデータとが一致していると判別したときは、ＣＰＵ５０は、各紙幣のＲＦＩＤデータおよび紙幣に関するＲＦＩＤデータに基づいて、その単位紙幣束を構成している紙幣の金種が、オペレータによって特定され、ＲＡＭ５２の生成すべき紙幣束に関するデータを格納するメモリ領域に書き込まれている生成すべき紙幣束の金種と一致するか否かを判別する。
【００７７】
その結果、データ読み取り手段１０から入力されたＲＦＩＤデータに基づいて判別された単位紙幣束を構成している紙幣の金種が、オペレータによって特定され、ＲＡＭ５２の生成すべき紙幣束に関するデータを格納するメモリ領域に書き込まれている生成すべき紙幣束の金種と一致していないと判別したときは、ＣＰＵ５０は、ＲＡＭ５２の生成すべき紙幣束に関するデータを格納するメモリ領域に、帯封処理を施すべきでない単位紙幣束が検出された旨を書き込み、ディスプレイ８５に、帯封処理を施すべきでない単位紙幣束が検出された旨を表示するとともに、ゲート部材１５を駆動するソレノイド６４に駆動信号を出力して、ゲート部材１５を、紙幣束搬送路１１と分岐搬送路１４とを連通させる位置に移動させ、その単位紙幣束を、紙幣束搬送路１１、ゲート部材１５および分岐搬送路１４を介して、第二の紙幣束返却口５に送って、オペレータに返却する。
【００７８】
これに対して、データ読み取り手段１０から入力されたＲＦＩＤデータに基づいて判別された単位紙幣束を構成している紙幣の金種が、オペレータによって特定され、ＲＡＭ５２の生成すべき紙幣束に関するデータを格納するメモリ領域に書き込まれている生成すべき紙幣束の金種と一致していると判別したときは、ＣＰＵ５０は、ゲート部材１３を駆動するソレノイド６３およびゲート部材１５を駆動するソレノイド６４に駆動信号を出力しない。
【００７９】
したがって、データ読み取り手段１０によって検出された単位紙幣束は、紙幣束搬送路１１内を、紙幣帯封ユニット２０に向けて送られる。
【００８０】
単位紙幣束が、紙幣帯封ユニット２０の直上流側に達すると、紙幣束センサ１８によって、単位紙幣束が検出され、紙幣束検出信号が、ＣＰＵ５０に出力される。
【００８１】
ＣＰＵ５０は、紙幣束センサ１８から、紙幣束検出信号を受けると、ＲＡＭ５２の紙幣帯封ユニット２０に送られた単位紙幣束の数に関するデータを格納するメモリ領域に、１束の単位紙幣束が紙幣帯封ユニット２０に送られた旨を書き込むとともに、紙幣束集積部２１の紙幣束集積機構７０に駆動信号を出力する。
【００８２】
その結果、単位紙幣束は、紙幣帯封ユニット２０の紙幣束集積部２１内に送られて、紙幣束集積機構７０によって、紙幣束集積部２１内に集積される。
【００８３】
同様にして、オペレータによって、次々に、単位紙幣束が紙幣束入金口２にセットされ、紙幣束入金口２にセットされた単位紙幣束は、データ読み取り手段１０を介して、紙幣帯封ユニット２０の紙幣束集積部２１内に送られて、集積される。この際、ＣＰＵ５０によって、ＲＡＭ５２に書き込まれた紙幣帯封ユニット２０に送られた単位紙幣束の数に関するデータが更新される。
【００８４】
その結果、ＲＡＭ５２に書き込まれた紙幣束に関するデータ中の紙幣束データおよびＲＡＭ５２に書き込まれた紙幣帯封ユニット２０に送られた単位紙幣束の数に関するデータに基づいて、オペレータによって指定された紙幣束に含まれるべき単位紙幣束の数に等しい単位紙幣束、すなわち、第二の所定数に等しい数の単位紙幣束が、紙幣帯封ユニット２０の紙幣束集積部２１内に集積されたと判別すると、ＣＰＵ５０は、紙幣帯封ユニット２０の紙幣束送り出し手段７１に駆動信号を出力して、紙幣束集積部２１内に集積された紙幣束を、紙幣帯封ユニット２０の帯封処理部２２の一対の挟持部材２２ａ、２２ｂの間に、送り出し、さらに、帯封処理部２２の一対の挟持部材２２ａ、２２ｂを相対的に移動させるモータ７２に駆動信号を出力して、一対の挟持部材２２ａ、２２ｂによって、第二の所定数に等しい数の紙幣束が重ね合わされて形成された紙幣束を挟持させる。
【００８５】
次いで、ＣＰＵ５０は、紙幣帯封ユニット２０の結束テープ供給手段２３を駆動するモータ７３に駆動信号を出力して、結束テープ供給手段２３を駆動させ、結束テープＴを、帯封処理部２２の一対の挟持部材２２ａ、２２ｂによって挟持された紙幣束に向けて、繰り出させる。
【００８６】
さらに、ＣＰＵ５０は、ＲＡＭ５２の単位紙幣束を管理するためのデータを格納するメモリ領域に書き込まれた紙幣に関するＲＦＩＤデータおよび帯封処理に関するＲＦＩＤデータを読み出して、駆動信号とともに、紙幣帯封ユニット２０のＲＦＩＤライター２５を駆動するＲＦＩＤライター駆動手段７５に出力する。
【００８７】
その結果、紙幣帯封ユニット２０のＲＦＩＤライター２５によって、結束テープ供給手段２３によって繰り出された結束テープＴに一体的に形成されたインレット内のＩＣチップに、各単位紙幣束に巻回された結束テープに一体的に形成されたインレット中のＩＣチップに書き込まれた各単位紙幣束に含まれる紙幣のＩＤデータ、金種データなどの紙幣束を構成する紙幣に関するＲＦＩＤデータおよび各単位紙幣束に含まれる紙幣の枚数、各単位紙幣束に帯封処理を施した日時、各単位紙幣束に帯封処理を施した金融機関名、各単位紙幣束の帯封処理の実行者などの各単位紙幣束の帯封処理に関するＲＦＩＤデータ、ならびに、帯封処理を施した単位紙幣束を特定するデータ、帯封処理を施した単位紙幣束の数、帯封処理を施した日時、帯封処理を施した金融機関名、帯封処理の実行者などの帯封処理に関するＲＦＩＤデータが書き込まれる。
【００８８】
次いで、ＣＰＵ５０は、結束テープＴに一体的に形成されたインレット内のＩＣチップに書き込んだ帯封処理に関するデータを、紙幣束に帯封処理を施す権限を有する金融機関によって、共同管理されている中央管理サーバ５５に出力する。こうして、中央管理サーバ５５に、紙幣束に巻回された結束テープＴに、紙幣処理機によって、書き込まれた帯封処理に関するデータが格納される。
【００８９】
ＣＰＵ５０は、紙幣帯封ユニット２０の結束テープ供給手段２３を駆動するモータ７３に、さらに、駆動信号を出力して、結束テープ供給手段２３を駆動させ、結束テープＴを、帯封処理部２２の一対の挟持部材２２ａ、２２ｂによって挟持された紙幣束に供給させ、次いで、帯封処理部２２のテープ巻き付け手段（図示せず）を駆動する巻き付けモータ７４に駆動信号を出力して、テープ巻き付け手段により、帯封処理部２２の一対の挟持部材２２ａ、２２ｂによって挟持された紙幣束の略中央部に、結束テープＴを巻き付けさせ、第二の所定数の紙幣束、たとえば、１０束の紙幣束を含む紙幣束を生成する。
【００９０】
こうして、第二の所定数の紙幣束、たとえば、１０束の紙幣束を含む紙幣束が生成されると、ＣＰＵ５０は、紙幣帯封ユニット２０の紙幣束繰り出し機構７６に駆動信号を出力して、第一の所定数に等しい枚数の紙幣、たとえば、１００枚の紙幣に帯封が付された紙幣束を、第二の所定数に等しい数、たとえば、１０束だけ、束ねて、帯封を付して生成された紙幣束を、紙幣束搬送路３０に繰り出させる。
【００９１】
紙幣束搬送路３０に繰り出された紙幣束が、紙幣束センサ３５に達すると、紙幣束センサ３５から、紙幣束検出信号がＣＰＵ５０に出力される。
【００９２】
紙幣束センサ３５から、紙幣束検出信号を受けると、ＣＰＵ５０は、ＲＡＭ５２の出金された紙幣束に関するデータを格納するメモリ領域に、第二の所定数に等しい数の紙幣束を含む紙幣束が生成されて、出金された旨を書き込む。
【００９３】
生成された紙幣束は、紙幣束搬送路３０を介して、紙幣束出金口３に出金される。
【００９４】
生成された紙幣束が、紙幣束出金口３に出金されると、第二の所定数に等しい数の紙幣束を含む紙幣束の生成処理が完了する。
【００９５】
本実施態様によれば、第二の所定数に等しい数の単位紙幣束に帯封処理が施されて、生成された紙幣束に巻回されている結束テープＴに一体的に形成されたインレット中のＩＣチップには、金融機関名、支店名、紙幣処理機のＩＤデータ、オペレータの名前、帯封処理を実行する日時などの帯封処理に関するＲＦＩＤデータが書き込まれているから、結束テープＴに一体的に形成されたインレット中のＩＣチップに書き込まれた帯封処理に関するＲＦＩＤデータを読み取ることによって、容易に、紙幣束が生成された履歴を知ることができ、したがって、紙幣束を所望のように管理することが可能になる。
【００９６】
また、本実施態様によれば、データ読み取り手段１０の第一のＲＦＩＤリーダー１０ａによって、単位紙幣束に巻き付けられた結束テープに一体的に形成されているインレット内のＩＣチップに書き込まれたＲＦＩＤデータが読み取られ、ＲＦＩＤライター２５によって、結束テープＴに一体的に形成されたインレット内のＩＣチップに、各単位紙幣束に含まれる紙幣のＩＤデータ、金種データなどの紙幣束を構成する紙幣に関するＲＦＩＤデータおよび各単位紙幣束に含まれる紙幣の枚数、各単位紙幣束に帯封処理を施した日時、各単位紙幣束に帯封処理を施した金融機関名、各単位紙幣束の帯封処理の実行者などの各単位紙幣束の帯封処理に関するＲＦＩＤデータが書き込まれるように構成されているから、結束テープＴに一体的に形成されたインレット内のＩＣチップに書き込まれたＲＦＩＤデータを読み取ることによって、個々の単位紙幣束が、帯封処理を施す権限を有する機関によって、真正に生成されたものか否かを確実に判別することができ、したがって、紙幣束を所望のように管理することが可能になる。
【００９７】
さらに、本実施態様によれば、データ読み取り手段１０の第一のＲＦＩＤリーダー１０ａによって、単位紙幣束に巻き付けられた結束テープに一体的に形成されているインレット内のＩＣチップに書き込まれたＲＦＩＤデータが読み取られ、ＲＦＩＤライター２５によって、結束テープＴに一体的に形成されたインレット内のＩＣチップに、帯封処理を施した単位紙幣束を特定するデータ、帯封処理を施した単位紙幣束の数、帯封処理を施した日時、帯封処理を施した金融機関名、帯封処理の実行者などの帯封処理に関するＲＦＩＤデータが書き込まれるように構成されているから、紙幣束の生成後に、一部の単位紙幣束が、帯封処理を施す権限を有しない者によって生成された単位紙幣束によって差し替えられるなどの不正があった場合にも、結束テープＴに一体的に形成されたインレット内のＩＣチップに書き込まれたＲＦＩＤデータを読み取ることによって、その事実を正確に認識することができ、したがって、紙幣束を所望のように管理することが可能になる。
【００９８】
また、本実施態様によれば、単位紙幣束に巻回された結束テープに一体的に形成されたインレット内のＩＣチップに書き込まれた帯封処理に関するデータは、紙幣束に帯封処理を施す権限を有する金融機関によって、共同管理されている中央管理サーバ５５に出力されて、格納されるように構成されているから、単位紙幣束に巻回された結束テープに一体的に形成されたインレット内のＩＣチップに書き込まれている帯封処理に関するＲＦＩＤデータを読み取り、中央管理サーバー５５にアクセスすることによって、単位紙幣束が、紙幣束に帯封処理を施す権限を有する機関によって、真正に生成されたものか否かを正確に判断することができ、したがって、紙幣束を所望のように管理することが可能になる。
【００９９】
図３は、本発明の別の好ましい実施態様にかかる紙幣処理機の略縦断面図である。
【０１００】
図３に示されるように、本実施態様にかかる紙幣処理機の紙幣帯封ユニット２０は、紙幣束集積部２１と、帯封処理部２２と、帯封処理部２２に、結束テープＴを供給する結束テープ供給手段９０と、ＩＣチップとアンテナを含むインレット（図示せず）が一体的に形成されたラベル（図示せず）が所定の間隔で、貼付されたフィルムＦを、紙幣帯封ユニット２０の帯封処理部２２に向けて、送り出すフィルム供給手段９１と、フィルム供給手段９１から送り出されたフィルムＦから、１枚ずつ、ＩＣチップとアンテナを含むインレットが一体的に形成されたラベルを剥がし、結束テープＴの表面に、所定の間隔で、貼り付けるラベル貼付手段９２を備え、結束テープ供給手段９０から供給される結束テープＴには、ＩＣチップとアンテナを含むインレットが一体的に形成されていない点を除き、図１および図２に示された紙幣処理機と同様の構成を有している。
【０１０１】
図３に示されるように、紙幣帯封ユニット２０の帯封処理部２２、ＲＦＩＤライター２５およびＲＦＩＤライター２５の近傍のラベルが貼付された結束テープＴの搬送路は、結束テープＴに貼付されたラベルに一体的に形成されたインレット内のＩＣチップにＲＦＩＤデータを書き込む際に、ＲＦＩＤライター２５から発信される周波数の電波を遮蔽する材料によって形成されたケーシング２６によって覆われている。
【０１０２】
図４は、図３に示された紙幣処理機の制御系、検出系、駆動系、入力系および表示系を示すブロックダイアグラムである。
【０１０３】
図４に示されるように、本実施態様にかかる紙幣処理機の制御系、検出系、入力系および表示系は、図１および図２に示された紙幣処理機の制御系、検出系、入力系および表示系と同様の構成を有している。
【０１０４】
図４に示されるように、本実施態様にかかる紙幣処理機の駆動系は、結束テープ供給手段２３を駆動するモータ７３に代えて、結束テープ供給手段９０を駆動するモータ９５を備え、さらに、ＩＣチップとアンテナを含むインレットが一体的に形成されたラベルが所定の間隔で、貼付されたフィルムＦを、紙幣帯封ユニット２０の帯封処理部２２に向けて、送り出すフィルム供給手段９１を駆動するモータ９６と、紙幣帯封ユニット２０の帯封処理部２２に向けて、フィルム供給手段９１から送り出されたフィルムＦから、１枚ずつ、ＩＣチップとアンテナを含むインレットが一体的に形成されたラベルを剥がし、結束テープＴの表面に、所定の間隔で、貼り付けるラベル貼付手段９２を駆動するモータ９７を備えている点を除いて、図１および図２に示された紙幣処理機の駆動系と同様の構成を有している。
【０１０５】
以上のように構成された本発明の別の好ましい実施態様にかかる紙幣処理機は、以下のようにして、紙幣束入金口２にセットされた単位紙幣束のうち、オペレータによって指定された金種の紙幣を含む単位紙幣束を選別して、第二の所定数だけ、たとえば、１０束だけ、集積し、集積された第二の所定数の単位紙幣束の略中央部に、結束テープＴを巻回して、集積紙幣に帯封処理を施し、第二の所定数の単位紙幣束を含む紙幣束を生成する。
【０１０６】
まず、オペレータによって、単位紙幣束が、紙幣束入金口２内にセットされる。
【０１０７】
次いで、オペレータによって、紙幣束の生成を指示する紙幣束生成信号とともに、生成すべき紙幣束に含まれる単位紙幣束の金種および紙幣束に含まれるべき単位紙幣束の数、すなわち、第二の所定数を特定する紙幣束データならびに金融機関名、支店名、紙幣処理機のＩＤデータならびにオペレータの名前などの帯封処理に関するデータがキーボード８０に入力される。
【０１０８】
オペレータによって入力された紙幣束生成信号は、紙幣束データおよび帯封処理に関するデータとともに、ＣＰＵ５０に出力され、オペレータによって入力された紙幣束生成信号、紙幣束データおよび帯封処理に関するデータを受けると、ＣＰＵ５０は、オペレータによって入力された紙幣束データおよび帯封処理に関するデータを、ＲＡＭ５２の生成すべき紙幣束に関するデータを格納するメモリ領域に書き込むとともに、繰り出しローラ駆動手段６０、搬送ローラ駆動手段６１に駆動信号を出力して、繰り出しローラ（図示せず）ならびに紙幣束搬送路９、紙幣束搬送路１１、分岐搬送路１２および分岐搬送路１４内に設けられた搬送ローラ（図示せず）を駆動する。
【０１０９】
その結果、紙幣束入金口２にセットされた単位紙幣束は、繰り出しローラによって、紙幣束搬送路９内に繰り出され、データ読み取り手段１０に送られる。
【０１１０】
単位紙幣束が、データ読み取り手段１０に送られると、データ読み取り手段１０に設けられた第一のＲＦＩＤリーダー１０ａによって、単位紙幣束に巻き付けられた結束テープに一体的に形成されているインレット内のＩＣチップに書き込まれた単位紙幣束に含まれる紙幣のＩＤデータ、金種データなどの単位紙幣束を構成する紙幣に関するＲＦＩＤデータならびに帯封処理を施した紙幣の枚数、帯封処理を施した日時、帯封処理を施した金融機関名、帯封処理の実行者などの帯封処理に関するＲＦＩＤデータが読み取られるとともに、第二のＲＦＩＤリーダー１０ｂによって、単位紙幣束に含まれた紙幣に一体的に形成されているインレット内のＩＣチップに書き込まれた紙幣のＩＤデータ、金種データなどの各紙幣のＲＦＩＤデータが読み取られ、第一のＲＦＩＤリーダー１０ａによって読み取られた紙幣に関するＲＦＩＤデータおよび帯封処理に関するＲＦＩＤデータならびに第二のＲＦＩＤリーダー１０ｂによって読み取られた各紙幣のＲＦＩＤデータは、データ読み取り手段１０からＣＰＵ５０に出力される。
【０１１１】
ＣＰＵ５０は、データ読み取り手段１０から、紙幣に関するＲＦＩＤデータおよび帯封処理に関するＲＦＩＤデータならびに各紙幣のＲＦＩＤデータを受けると、紙幣に関するＲＦＩＤデータおよび帯封処理に関するＲＦＩＤデータならびに各紙幣のＲＦＩＤデータを、ＲＡＭ５２の単位紙幣束を管理するためのデータを格納するメモリ領域に書き込むとともに、オペレータに、次の単位紙幣束を紙幣束入金口２にセットすべき旨を促すメッセージを、ディスプレイ８５に表示する。
【０１１２】
次いで、ＣＰＵ５０は、中央管理サーバ５５にアクセスして、データ読み取り手段１０から入力された帯封処理に関するデータが、中央管理サーバ５５に格納されているか否かを判別する。
【０１１３】
その結果、データ読み取り手段１０から入力された帯封処理に関するデータが、中央管理サーバ５５に格納されていないと判別したときは、その単位紙幣束が、単位紙幣束を生成する権限がない者によって生成されたおそれが高いから、ＣＰＵ５０は、ＲＡＭ５２の生成すべき紙幣束に関するデータを格納するメモリ領域に、帯封処理を施すべきでない単位紙幣束が検出された旨を書き込み、ディスプレイ８５に、帯封処理を施すべきでない単位紙幣束が検出された旨を表示するとともに、ゲート部材１３を駆動するソレノイド６３に駆動信号を出力して、ゲート部材１３を、紙幣束搬送路１１と分岐搬送路１２とを連通させる位置に移動させ、その単位紙幣束を、紙幣束搬送路１１、ゲート部材１３および分岐搬送路１２を介して、第一の紙幣束返却口４に送って、オペレータに返却する。
【０１１４】
これに対して、データ読み取り手段１０から入力された帯封処理に関するデータが、中央管理サーバ５５に格納されていると判別したときは、ＣＰＵ５０は、さらに、データ読み取り手段１０から入力された各紙幣のＲＦＩＤデータに基づいて、検出された単位紙幣束に含まれているすべての紙幣が、現に流通している真正な紙幣か否かを判別する。
【０１１５】
その結果、検出された単位紙幣束に、偽造紙幣、外国紙幣などが含まれ、単位紙幣束に含まれている紙幣がすべて、現に流通している真正な紙幣ではないと判別したときは、その単位紙幣束を構成している紙幣の一部が、偽造紙幣、外国紙幣などに差し替えられているおそれが高いから、ＣＰＵ５０は、ＲＡＭ５２の生成すべき紙幣束に関するデータを格納するメモリ領域に、帯封処理を施すべきでない単位紙幣束が検出された旨を書き込み、ディスプレイ８５に、帯封処理を施すべきでない単位紙幣束が検出された旨を表示するとともに、ゲート部材１３を駆動するソレノイド６３に駆動信号を出力して、ゲート部材１３を、紙幣束搬送路１１と分岐搬送路１２とを連通させる位置に移動させ、その単位紙幣束を、紙幣束搬送路１１、ゲート部材１３および分岐搬送路１２を介して、第一の紙幣束返却口４に送って、オペレータに返却する。
【０１１６】
一方、各紙幣のＲＦＩＤデータに基づいて、検出された単位紙幣束に含まれているすべての紙幣が、現に流通している真正な紙幣であると判別したときは、ＣＰＵ５０は、さらに、データ読み取り手段１０から入力された単位紙幣束を構成している各紙幣のＲＦＩＤデータと結束テープに一体的に形成されたインレット中のＩＣチップに書き込まれた紙幣に関するＲＦＩＤデータとが一致しているか否かを判別する。
【０１１７】
その結果、単位紙幣束を構成している各紙幣のＲＦＩＤデータと結束テープに一体的に形成されたインレット中のＩＣチップに書き込まれた紙幣に関するＲＦＩＤデータとが一致していないと判別したときは、その単位紙幣束から、紙幣の一部が抜き取られ、あるいは、その単位紙幣束を構成している紙幣の一部が他の紙幣に差し替えられているおそれが高く、その単位紙幣束を用いて、紙幣束を生成すべきではないから、ＣＰＵ５０は、ＲＡＭ５２の生成すべき紙幣束に関するデータを格納するメモリ領域に、帯封処理を施すべきでない単位紙幣束が検出された旨を書き込み、ディスプレイ８５に、帯封処理を施すべきでない単位紙幣束が検出された旨を表示するとともに、ゲート部材１３を駆動するソレノイド６３に駆動信号を出力して、ゲート部材１３を、紙幣束搬送路１１と分岐搬送路１２とを連通させる位置に移動させ、その単位紙幣束を、紙幣束搬送路１１、ゲート部材１３および分岐搬送路１２を介して、第一の紙幣束返却口４に送って、オペレータに返却する。
【０１１８】
これに対して、単位紙幣束を構成している各紙幣のＲＦＩＤデータと結束テープに一体的に形成されたインレット中のＩＣチップに書き込まれた紙幣に関するＲＦＩＤデータとが一致していると判別したときは、ＣＰＵ５０は、各紙幣のＲＦＩＤデータおよび紙幣に関するＲＦＩＤデータに基づいて、その単位紙幣束を構成している紙幣の金種が、オペレータによって特定され、ＲＡＭ５２の生成すべき紙幣束に関するデータを格納するメモリ領域に書き込まれている生成すべき紙幣束の金種と一致するか否かを判別する。
【０１１９】
その結果、データ読み取り手段１０から入力されたＲＦＩＤデータに基づいて判別された単位紙幣束を構成している紙幣の金種が、オペレータによって特定され、ＲＡＭ５２の生成すべき紙幣束に関するデータを格納するメモリ領域に書き込まれている生成すべき紙幣束の金種と一致していないと判別したときは、ＣＰＵ５０は、ＲＡＭ５２の生成すべき紙幣束に関するデータを格納するメモリ領域に、帯封処理を施すべきでない単位紙幣束が検出された旨を書き込み、ディスプレイ８５に、帯封処理を施すべきでない単位紙幣束が検出された旨を表示するとともに、ゲート部材１５を駆動するソレノイド６４に駆動信号を出力して、ゲート部材１５を、紙幣束搬送路１１と分岐搬送路１４とを連通させる位置に移動させ、その単位紙幣束を、紙幣束搬送路１１、ゲート部材１５および分岐搬送路１４を介して、第二の紙幣束返却口５に送って、オペレータに返却する。
【０１２０】
これに対して、データ読み取り手段１０から入力されたＲＦＩＤデータに基づいて判別された単位紙幣束を構成している紙幣の金種が、オペレータによって特定され、ＲＡＭ５２の生成すべき紙幣束に関するデータを格納するメモリ領域に書き込まれている生成すべき紙幣束の金種と一致していると判別したときは、ＣＰＵ５０は、ゲート部材１３を駆動するソレノイド６３およびゲート部材１５を駆動するソレノイド６４に駆動信号を出力しない。
【０１２１】
したがって、データ読み取り手段１０によって検出された単位紙幣束は、紙幣束搬送路１１内を、紙幣帯封ユニット２０に向けて送られる。
【０１２２】
単位紙幣束が、紙幣帯封ユニット２０の直上流側に達すると、紙幣束センサ１８によって、単位紙幣束が検出され、紙幣束検出信号が、ＣＰＵ５０に出力される。
【０１２３】
ＣＰＵ５０は、紙幣束センサ１８から、紙幣束検出信号を受けると、ＲＡＭ５２の紙幣帯封ユニット２０に送られた単位紙幣束の数に関するデータを格納するメモリ領域に、１束の単位紙幣束が紙幣帯封ユニット２０に送られた旨を書き込むとともに、紙幣束集積部２１の紙幣束集積機構７０に駆動信号を出力する。
【０１２４】
その結果、単位紙幣束は、紙幣帯封ユニット２０の紙幣束集積部２１内に送られて、紙幣束集積機構７０によって、紙幣束集積部２１内に集積される。
【０１２５】
同様にして、オペレータによって、次々に、単位紙幣束が紙幣束入金口２にセットされ、紙幣束入金口２にセットされた単位紙幣束は、データ読み取り手段１０を介して、紙幣帯封ユニット２０の紙幣束集積部２１内に送られて、集積される。この際、ＣＰＵ５０によって、ＲＡＭ５２に書き込まれた紙幣帯封ユニット２０に送られた単位紙幣束の数に関するデータが更新される。
【０１２６】
その結果、ＲＡＭ５２に書き込まれた紙幣束に関するデータ中の紙幣束データおよびＲＡＭ５２に書き込まれた紙幣帯封ユニット２０に送られた単位紙幣束の数に関するデータに基づいて、オペレータによって指定された紙幣束に含まれるべき単位紙幣束の数に等しい単位紙幣束、すなわち、第二の所定数に等しい数の単位紙幣束が、紙幣帯封ユニット２０の紙幣束集積部２１内に集積されたと判別すると、ＣＰＵ５０は、紙幣帯封ユニット２０の紙幣束送り出し手段７１に駆動信号を出力して、紙幣束集積部２１内に集積された紙幣束を、紙幣帯封ユニット２０の帯封処理部２２の一対の挟持部材２２ａ、２２ｂの間に、送り出し、さらに、帯封処理部２２の一対の挟持部材２２ａ、２２ｂを相対的に移動させるモータ７２に駆動信号を出力して、一対の挟持部材２２ａ、２２ｂによって、第二の所定数に等しい数の紙幣束が重ね合わされて形成された紙幣束を挟持させる。
【０１２７】
次いで、ＣＰＵ５０は、フィルム供給手段９１を駆動するモータ９６に駆動信号を出力して、ＩＣチップとアンテナを含むインレットが一体的に形成されたラベルが所定の間隔で、貼付されたフィルムＦを、帯封処理部２２に向けて、送り出させ、次いで、結束テープ供給手段９０を駆動するモータ９５に駆動信号を出力して、結束テープＴを、帯封処理部２２に向けて、繰り出させるとともに、ラベル貼付手段９２を駆動するモータ９７に駆動信号を出力して、フィルム供給手段９１から送り出されたフィルムＦから、１枚ずつ、ＩＣチップとアンテナを含むインレットが一体的に形成されたラベルを剥がし、結束テープ供給手段９０から繰り出された結束テープＴの表面に、ラベルを、所定の間隔で、貼付させる。
【０１２８】
さらに、ＣＰＵ５０は、ＲＡＭ５２の単位紙幣束を管理するためのデータを格納するメモリ領域に書き込まれた紙幣に関するＲＦＩＤデータおよび帯封処理に関するＲＦＩＤデータを読み出して、駆動信号とともに、紙幣帯封ユニット２０のＲＦＩＤライター２５を駆動するＲＦＩＤライター駆動手段７５に出力する。
【０１２９】
その結果、紙幣帯封ユニット２０のＲＦＩＤライター２５によって、結束テープＴに貼付されたラベルに一体的に形成されたインレット内のＩＣチップに、各単位紙幣束に巻回された結束テープに一体的に形成されたインレット中のＩＣチップに書き込まれた各単位紙幣束に含まれる紙幣のＩＤデータ、金種データなどの紙幣束を構成する紙幣に関するＲＦＩＤデータおよび各単位紙幣束に含まれる紙幣の枚数、各単位紙幣束に帯封処理を施した日時、各単位紙幣束に帯封処理を施した金融機関名、各単位紙幣束の帯封処理の実行者などの各単位紙幣束の帯封処理に関するＲＦＩＤデータ、ならびに、帯封処理を施した単位紙幣束を特定するデータ、帯封処理を施した単位紙幣束の数、帯封処理を施した日時、帯封処理を施した金融機関名、帯封処理の実行者などの帯封処理に関するＲＦＩＤデータが書き込まれる。
【０１３０】
次いで、ＣＰＵ５０は、結束テープＴに貼付されたラベルに一体的に形成されたインレット内のＩＣチップに書き込んだ帯封処理に関するデータを、紙幣束に帯封処理を施す権限を有する金融機関によって、共同管理されている中央管理サーバ５５に出力する。こうして、中央管理サーバ５５に、紙幣束に巻回された結束テープＴに、紙幣処理機によって、書き込まれた帯封処理に関するデータが格納される。
【０１３１】
ＣＰＵ５０は、紙幣帯封ユニット２０の結束テープ供給手段９０を駆動するモータ９５に、さらに、駆動信号を出力して、結束テープ供給手段９０を駆動させ、結束テープＴを、帯封処理部２２の一対の挟持部材２２ａ、２２ｂによって挟持された紙幣束に供給させ、次いで、帯封処理部２２のテープ巻き付け手段（図示せず）を駆動する巻き付けモータ７４に駆動信号を出力して、テープ巻き付け手段により、帯封処理部２２の一対の挟持部材２２ａ、２２ｂによって挟持された紙幣束の略中央部に、結束テープＴを巻き付けさせ、第二の所定数の紙幣束、たとえば、１０束の紙幣束を含む紙幣束を生成する。
【０１３２】
こうして、第二の所定数の紙幣束、たとえば、１０束の紙幣束を含む紙幣束が生成されると、ＣＰＵ５０は、紙幣帯封ユニット２０の紙幣束繰り出し機構７６に駆動信号を出力して、第一の所定数に等しい枚数の紙幣、たとえば、１００枚の紙幣に帯封が付された紙幣束を、第二の所定数に等しい数、たとえば、１０束だけ、束ねて、帯封を付して生成された紙幣束を、紙幣束搬送路３０に繰り出させる。
【０１３３】
紙幣束搬送路３０に繰り出された紙幣束が、紙幣束センサ３５に達すると、紙幣束センサ３５から、紙幣束検出信号がＣＰＵ５０に出力される。
【０１３４】
紙幣束センサ３５から、紙幣束検出信号を受けると、ＣＰＵ５０は、ＲＡＭ５２の出金された紙幣束に関するデータを格納するメモリ領域に、第二の所定数に等しい数の紙幣束を含む紙幣束が生成されて、出金された旨を書き込む。
【０１３５】
生成された紙幣束は、紙幣束搬送路３０を介して、紙幣束出金口３に出金される。
【０１３６】
生成された紙幣束が、紙幣束出金口３に出金されると、第二の所定数に等しい数の紙幣束を含む紙幣束の生成処理が完了する。
【０１３７】
本実施態様によれば、第二の所定数に等しい数の単位紙幣束に帯封処理が施されて、生成された紙幣束に巻回されている結束テープＴに貼付されたラベルに一体的に形成されたインレット中のＩＣチップには、金融機関名、支店名、紙幣処理機のＩＤデータ、オペレータの名前、帯封処理を実行する日時などの帯封処理に関するＲＦＩＤデータが書き込まれているから、結束テープＴに貼付されたラベルに一体的に形成されたインレット中のＩＣチップに書き込まれた帯封処理に関するＲＦＩＤデータを読み取ることによって、容易に、紙幣束が生成された履歴を知ることができ、したがって、紙幣束を所望のように管理することが可能になる。
【０１３８】
また、本実施態様によれば、データ読み取り手段１０の第一のＲＦＩＤリーダー１０ａによって、単位紙幣束に巻き付けられた結束テープに貼付されたラベルに一体的に形成されているインレット内のＩＣチップに書き込まれたＲＦＩＤデータが読み取られ、ＲＦＩＤライター２５によって、結束テープＴに貼付されたラベルに一体的に形成されたインレット内のＩＣチップに、各単位紙幣束に含まれる紙幣のＩＤデータ、金種データなどの紙幣束を構成する紙幣に関するＲＦＩＤデータおよび各単位紙幣束に含まれる紙幣の枚数、各単位紙幣束に帯封処理を施した日時、各単位紙幣束に帯封処理を施した金融機関名、各単位紙幣束の帯封処理の実行者などの各単位紙幣束の帯封処理に関するＲＦＩＤデータが書き込まれるように構成されているから、結束テープＴに貼付されたラベルに一体的に形成されたインレット内のＩＣチップに書き込まれたＲＦＩＤデータを読み取ることによって、個々の単位紙幣束が、帯封処理を施す権限を有する機関によって、真正に生成されたものか否かを確実に判別することができ、したがって、紙幣束を所望のように管理することが可能になる。
【０１３９】
さらに、本実施態様によれば、データ読み取り手段１０の第一のＲＦＩＤリーダー１０ａによって、単位紙幣束に巻き付けられた結束テープに貼付されたラベルに一体的に形成されているインレット内のＩＣチップに書き込まれたＲＦＩＤデータが読み取られ、ＲＦＩＤライター２５によって、結束テープＴに貼付されたラベルに一体的に形成されたインレット内のＩＣチップに、帯封処理を施した単位紙幣束を特定するデータ、帯封処理を施した単位紙幣束の数、帯封処理を施した日時、帯封処理を施した金融機関名、帯封処理の実行者などの帯封処理に関するＲＦＩＤデータが書き込まれるように構成されているから、紙幣束の生成後に、一部の単位紙幣束が、帯封処理を施す権限を有しない者によって生成された単位紙幣束によって差し替えられるなどの不正があった場合にも、結束テープＴに貼付されたラベルに形成されたインレット内のＩＣチップに書き込まれたＲＦＩＤデータを読み取ることによって、その事実を正確に認識することができ、したがって、紙幣束を所望のように管理することが可能になる。
【０１４０】
また、本実施態様によれば、単位紙幣束に巻回された結束テープに貼付されたラベルに一体的に形成されたインレット内のＩＣチップに書き込まれた帯封処理に関するデータは、紙幣束に帯封処理を施す権限を有する金融機関によって、共同管理されている中央管理サーバ５５に出力されて、格納されるように構成されているから、単位紙幣束に巻回された結束テープに貼付されたラベルに形成されたインレット内のＩＣチップに書き込まれている帯封処理に関するＲＦＩＤデータを読み取り、中央管理サーバー５５にアクセスすることによって、単位紙幣束が、紙幣束に帯封処理を施す権限を有する機関によって、真正に生成されたものか否かを正確に判断することができ、したがって、紙幣束を所望のように管理することが可能になる。
【０１４１】
本発明は、以上の実施態様に限定されることなく、特許請求の範囲に記載された発明の範囲内で種々の変更が可能であり、それらも本発明の範囲内に包含されるものであることはいうまでもない。
【０１４２】
たとえば、前記実施態様においては、紙幣処理機は、紙幣束入金口２にセットされた第一の所定数の紙幣を含む単位紙幣束を、第二の所定数だけ、重ね合わせて、第二の所定数に等しい単位紙幣束を含む紙幣束を生成し、生成された紙幣束に結束テープＴを巻回して、帯封処理が施された紙幣束を生成する専用の紙幣帯封機として構成されているが、紙幣処理機が、所定の数の単位紙幣束を重ね合わせて、紙幣束を生成する専用の紙幣帯封機として構成されていることは必ずしも必要でなく、さらに、紙幣入金口にセットされた紙幣から、オペレータが指定した金種の紙幣を選別して、単位紙幣束を生成する機構を備えていてもよい。たとえば、紙幣処理機に、紙幣をセットする紙幣入金口２を備え、紙幣入金口にセットされた紙幣を判別して、オペレータが指定した金種の紙幣を選別し、選別した紙幣を、第一の所定数だけ、重ね合わせて、紙幣束を生成し、生成された紙幣束に結束テープを巻回して、帯封処理が施された単位紙幣束を生成する単位紙幣束生成機構を設け、単位紙幣束生成機構によって生成された第二の所定数の単位紙幣束を重ね合わせて、紙幣束を生成するように、紙幣処理機を構成することもできる。紙幣処理機は、さらに、紙幣を入金して、金種別に収納し、必要に応じて、出金する紙幣入出金機構を備えていてもよく、たとえば、紙幣処理機に、紙幣を投入する紙幣入金口を備え、紙幣入金口に投入された紙幣を判別して、現に流通している真正な紙幣を、金種別に、複数の紙幣収納ボックス内に収納し、必要に応じて、出金するように構成された紙幣入出金機構を設け、紙幣入出金機構の複数の紙幣収納ボックスのいずれかに収納された紙幣を、１枚ずつ、繰り出して、単位紙幣束生成機構によって、単位紙幣束を生成し、単位紙幣束生成機構によって生成された第二の所定数の単位紙幣束を重ね合わせて、紙幣束を生成するように、紙幣処理機を構成することもできる。
【０１４３】
また、前記実施態様においては、一対の挟持部材２２ａ、２２ｂによって挟持された第一の所定数に等しい数の単位紙幣束の略中央部に、結束テープＴを巻き付けて、紙幣束を生成するのに先立って、ＲＦＩＤライター２５によって、結束テープＴに一体的に形成されたインレット内のＩＣチップあるいは結束テープＴに貼付されたラベルに一体的に形成されたインレット内のＩＣチップに、各単位紙幣束に巻回された結束テープに一体的に形成されたインレット中のＩＣチップに書き込まれた各単位紙幣束に含まれる紙幣のＩＤデータ、金種データなどの紙幣束を構成する紙幣に関するＲＦＩＤデータおよび各単位紙幣束に含まれる紙幣の枚数、各単位紙幣束に帯封処理を施した日時、各単位紙幣束に帯封処理を施した金融機関名、各単位紙幣束の帯封処理の実行者などの各単位紙幣束の帯封処理に関するＲＦＩＤデータ、ならびに、帯封処理を施した単位紙幣束を特定するデータ、帯封処理を施した単位紙幣束の数、帯封処理を施した日時、帯封処理を施した金融機関名、帯封処理の実行者などの帯封処理に関するＲＦＩＤデータを書き込むように構成されているが、結束テープＴを巻き付けて、紙幣束を生成するのに先立って、結束テープＴに一体的に形成されたインレット内のＩＣチップあるいは結束テープＴに貼付されたラベルに一体的に形成されたインレット内のＩＣチップに、ＲＦＩＤデータを書き込むことは必ずしも必要でなく、一対の挟持部材２２ａ、２２ｂによって挟持された第一の所定数に等しい数の単位紙幣束の略中央部に、結束テープＴを巻き付けて、紙幣束を生成した後に、結束テープＴに一体的に形成されたインレット内のＩＣチップあるいは結束テープＴに貼付されたラベルに一体的に形成されたインレット内のＩＣチップに、各単位紙幣束に巻回された結束テープに一体的に形成されたインレット中のＩＣチップに書き込まれた各単位紙幣束に含まれる紙幣のＩＤデータ、金種データなどの紙幣束を構成する紙幣に関するＲＦＩＤデータおよび各単位紙幣束に含まれる紙幣の枚数、各単位紙幣束に帯封処理を施した日時、各単位紙幣束に帯封処理を施した金融機関名、各単位紙幣束の帯封処理の実行者などの各単位紙幣束の帯封処理に関するＲＦＩＤデータ、ならびに、帯封処理を施した単位紙幣束を特定するデータ、帯封処理を施した単位紙幣束の数、帯封処理を施した日時、帯封処理を施した金融機関名、帯封処理の実行者などの帯封処理に関するＲＦＩＤデータを書き込むようにすることもできる。
【０１４４】
さらに、前記実施態様においては、データ読み取り手段１０に設けられた第一のＲＦＩＤリーダー１０ａによって、単位紙幣束に巻き付けられた結束テープに一体的に形成されているインレット内のＩＣチップに書き込まれた単位紙幣束に含まれる紙幣のＩＤデータ、金種データなどの単位紙幣束を構成する紙幣に関するＲＦＩＤデータならびに帯封処理を施した紙幣の枚数、帯封処理を施した日時、帯封処理を施した金融機関名、帯封処理の実行者などの帯封処理に関するＲＦＩＤデータを読み取って、ＲＡＭ５２の単位紙幣束を管理するためのデータを格納するメモリ領域に書き込み、データ読み取り手段１０に設けられた第一のＲＦＩＤリーダー１０ａによって読み取られ、ＲＡＭ５２に書き込まれた単位紙幣束の帯封処理に関するＲＦＩＤデータに基づいて、紙幣帯封ユニット２０のＲＦＩＤライター２５によって、結束テープＴに一体的に形成されたインレット内のＩＣチップあるいは結束テープＴに貼付されたラベルに一体的に形成されたインレット内のＩＣチップに、各単位紙幣束に含まれる紙幣の枚数、各単位紙幣束に帯封処理を施した日時、各単位紙幣束に帯封処理を施した金融機関名、各単位紙幣束の帯封処理の実行者などの各単位紙幣束の帯封処理に関するＲＦＩＤデータを書き込むように構成されているが、第二の所定数の単位紙幣束を含む紙幣束を生成するのに先立って、オペレータによって、キーボード８０に、各単位紙幣束の帯封処理に関するＲＦＩＤデータに対応するデータが入力されるように構成し、データ読み取り手段１０の第一のＲＦＩＤリーダー１０ａを省略することもできる。
【０１４５】
また、前記実施態様においては、ＣＰＵ５０が、紙幣束を生成する権限を有する金融機関が共同管理する中央管理サーバ５５に接続され、中央管理サーバ５５に、各金融機関が、所定枚数の紙幣に、結束テープを巻回して、帯封をし、単位紙幣束を生成する際に、結束テープに一体的に形成されたインレット内のＩＣチップに書き込んだ帯封処理に関するデータが記憶されており、ＣＰＵ５０が、データ読み取り手段１０から入力されたＲＦＩＤデータに基づき、単位紙幣束の結束テープに一体的に形成されたインレット内のＩＣチップに書き込まれた帯封処理に関するデータが、中央管理サーバ５５に格納されているか否かを判別し、単位紙幣束が、紙幣束に帯封処理を施す権限を有する機関によって、真正に生成されたものか否かを判別するように構成されているが、単位紙幣束が、紙幣束に帯封処理を施す権限を有する機関によって、真正に生成されたものか否かは、結束テープに一体的に形成されたインレット内のＩＣチップに書き込まれた単位紙幣束を構成する紙幣に関するＲＦＩＤデータと、単位紙幣束を構成している紙幣に一体的に形成されたインレット内のＩＣチップに書き込まれている紙幣のＩＤデータ、金種データなどのＲＦＩＤデータを、ＲＦＩＤリーダーによって読み取り、照合することにより判別することができるから、ＣＰＵ５０が、紙幣束を生成する権限を有する金融機関が共同管理する中央管理サーバ５５に接続されていることは必ずしも必要でない。
【０１４６】
さらに、前記実施態様においては、紙幣帯封ユニット２０の帯封処理部２２、ＲＦＩＤライター２５およびＲＦＩＤライター２５の近傍の結束テープＴの搬送路あるいはＲＦＩＤライター２５の近傍のラベルが貼り付けられた結束テープＴの搬送路は、結束テープＴに一体的に形成されたインレット内のＩＣチップあるいは結束テープＴに貼付されたラベルに一体的に形成されたインレット内のＩＣチップにＲＦＩＤデータを書き込む際に、ＲＦＩＤライター２５から発信される周波数の電波を遮蔽する材料によって形成されたケーシング２６によって覆われているが、結束テープＴに一体的に形成されたインレット内のＩＣチップあるいは結束テープＴに貼付されたラベルに一体的に形成されたインレット内のＩＣチップに、あらかじめ、固有のＩＤデータが書き込まれ、ＩＣチップが、書き込まれた固有のＩＤデータとともに、ＲＦＩＤライター２５から発信された電波以外は受信しないように構成されている場合には、紙幣帯封ユニット２０の帯封処理部２２、ＲＦＩＤライター２５およびＲＦＩＤライター２５の近傍の結束テープＴの搬送路あるいはＲＦＩＤライター２５の近傍のラベルが貼り付けられた結束テープＴの搬送路が、ＲＦＩＤライター２５から発信される周波数の電波を遮蔽する材料によって形成されたケーシング２６によって覆われていることは必ずしも必要でない。
【０１４７】
また、前記実施態様においては、紙幣束入金口２にセットされた単位紙幣束のうち、受け入れ可能ではあるが、単位紙幣束に含まれている紙幣の金種が、オペレータが指定した紙幣の金種とは異なると判別された単位紙幣束を返却する第二の紙幣束返却口５を設けているが、オペレータが指定した紙幣の金種とは異なると判別された単位紙幣束は、受け入れ不能と判別された単位紙幣束と同様に、第一の紙幣束返却口４から返却するように構成し、第二の紙幣束返却口５を省略することもできる。
【０１４８】
さらに、前記実施態様においては、単位紙幣束に巻回された結束テープには、結束テープ用の紙を抄く際に、結束テープ用の紙にインレットを埋め込む方法、結束テープにインレットを印刷する方法などによって、ＩＣチップとアンテナを含むインレットが一体的に形成されているが、単位紙幣束に巻回された結束テープに、ＩＣチップとアンテナを含むインレットが一体的に形成されていることは必ずしも必要でなく、ＩＣチップとアンテナを含むインレットが一体的に形成されたラベルを、結束テープに貼り付けて、インレットを結束テープに形成してもよい。
【図面の簡単な説明】
【０１４９】
【図１】図１は、本発明の好ましい実施態様にかかる紙幣処理機の略縦断面図である。
【図２】図２は、図１に示された紙幣処理機の制御系、検出系、駆動系、入力系および表示系を示すブロックダイアグラムである。
【図３】図３は、本発明の別の好ましい実施態様にかかる紙幣処理機の略縦断面図である。
【図４】図４は、図３に示された紙幣処理機の制御系、検出系、駆動系、入力系および表示系を示すブロックダイアグラムである。
【符号の説明】
【０１５０】
１  ハウジング
２  紙幣束入金口
３  紙幣束出金口
４  第一の紙幣束返却口
５  第二の紙幣束返却口
９  紙幣束搬送路
１０  データ読み取り手段
１０ａ  第一のＲＦＩＤリーダー
１０ｂ  第二のＲＦＩＤリーダー
１０ｃ  ケーシング
１１  紙幣束搬送路
１２  分岐搬送路
１３  ゲート部材
１４  分岐搬送路
１５  ゲート部材
１８  紙幣束センサ
２０  紙幣帯封ユニット
２１  紙幣束集積部
２２  帯封処理部
２２ａ、２２ｂ  挟持部材
２３  結束テープ供給手段
２５  ＲＦＩＤライター
２６  ケーシング
３０  紙幣束搬送路
３５  紙幣束センサ
５０  ＣＰＵ
５１  ＲＯＭ
５２  ＲＡＭ
５３  時計
５５  中央管理サーバ
６０  繰り出しローラ駆動手段
６１  搬送ローラ駆動手段
６２  搬送ローラ駆動手段
６３  ソレノイド
６４  ソレノイド
７０  紙幣束集積機構
７１  紙幣束送り出し手段
７２  モータ
７３  モータ
７４  モータ
７５  ＲＦＩＤライター駆動手段
７６  紙幣束繰り出し機構
８０  キーボード
８５  ディスプレイ
９０  結束テープ供給手段
９１  フィルム供給手段
９２  ラベル貼付手段
９５  モータ
９６  モータ
９７  モータ
Ｔ  結束テープ
Ｆ  フィルム
【図１】
2007122121.tif 000003
【図２】
2007122121.tif 000004
【図３】
2007122121.tif 000005
【図４】
2007122121.tif 000006